(57)【要約】【課題】本考案は、簡単な操作で収納できてしかも収納物が飛び出して落下することなく、また、外観がよくてフォーマルな衣類に用いることもできるポケットを考案して提供する。【解決手段】上方又は側方向にポケット口を有する衣類のポケットであって、体側にある外側袋布と、該外側袋布に対応し、かつ、衣類の表布側にある内側袋布と、前記外側袋布に縫合された蓋布と、を少なくとも備えたポケットにおいて、前記蓋布が、略逆三角形状又は略四角形状をしており、下斜辺が直線又は曲線形状であってふらしにし、かつ、残りの上横辺と縦辺とが、前記外側袋布と縫合して袋状に形成したことを特徴とするポケット。【選択図】図４
0003177327.tif 000002
【実用新案登録請求の範囲】
【請求項１】
上方又は側方向にポケット口を有する衣類のポケットであって、体側にある外側袋布と、該外側袋布に対応し、かつ、衣類の表布側にある内側袋布と、前記外側袋布に縫合された蓋布と、を少なくとも備えたポケットにおいて、前記蓋布が、略逆三角形状又は略四角形状をしており、下斜辺が直線又は曲線形状であってふらしにし、かつ、残りの上横辺と縦辺とが、前記外側袋布と縫合して袋状に形成したことを特徴とするポケット。
【請求項２】
上方又は側方向にポケット口を有する衣類のポケットであって、体側にある表布と、該表布の表面に設けられてポケットを形成するポケット布と、該ポケット布と前記表布との間に形成したポケット内で前記ポケット布と縫合された蓋布と、を少なくとも備えたポケットにおいて、前記蓋布が、略逆三角形状又は略四角形状をしており、下斜辺が直線又は曲線形状であってふらしにし、かつ、残りの上横辺と縦辺とが、前記外側袋布と縫合して袋状に形成したことを特徴とするポケット。
【請求項３】
前記蓋布の前記上横辺の長さが、前記外側袋布の幅より短く、かつ、前記蓋布の縦辺の長さが前記外側袋布の深さより短いことを特徴とする請求項１に記載のポケット。
【請求項４】
前記蓋布の前記上横辺の長さが、前記ポケット布の前記ポケット幅より短く、かつ、前記蓋布の縦辺の長さが前記ポケット布の深さより短いことを特徴とする請求項２に記載のポケット。
【請求項５】
前記曲線形状が下に凸であることを特徴とする請求項１から４のいずれかに記載のポケット。
【考案の詳細な説明】
【技術分野】
【０００１】
本考案は、スマートフォンなどの収納物が衣服やズボン等の衣類のポケットから飛び出して落下することを防止するポケットに関するものである。
【背景技術】
【０００２】
衣類のポケットは、頻繁に使用する様々な小物を収納できるので大変便利である。しかし、スマートフォンや携帯電話のような重量のある物をポケットに収納した場合において、胸ポケットの場合は前屈みになったとき、又は、ズボンのポケットの場合はトイレ等で脱ぐときに、スマートフォンや携帯電話はポケットから飛び出し易く、その結果、落下による損傷又は水没による故障がしばしば発生する。スマートフォンや携帯電話は、高価なものであり、損傷、故障及びデータ消滅による経済的損害は少なくない。
【０００３】
そこで、スマートフォン等の落下防止策の一つとして、従来はポケット口をボタン等で留めて落下を防いでいた。
【０００４】
しかし、この方法では、スマートフォン等の出し入れの度にボタン等を開閉しなければならず、細かな作業が必要で煩わしかった。そこで、飛び出し防止壁をポケット口の上方からポケット内の下端まで中央に設けてポケット内を二重にして、二重ポケットの内側に収納物（スマートフォン）を納めることによって、上方に飛び出すことを防ぐポケットが先行技術として開示されている（文献１）。
【先行技術文献】
【特許文献】
【０００５】
【特許文献１】特開２００９−１３３０４９号公報（〔請求項１〜４〕、〔００２２、００３５〕、〔図１〜１３〕）。
【考案の概要】
【考案が解決しようとする課題】
【０００６】
前記の先行技術は、ポケット内に収めた収納物が、前屈みの姿勢をとることによる上方の飛び出しを、飛び出し防止壁によって阻止できる点で有効であるが、飛び出し防止壁がポケット上部から露出しているので、見栄えが悪くスーツやワイシャツ等のフォーマルな服装に適さない。また、飛び出し防止壁とポケットの間から横向けに収納物を出し入れするので、出し入れするのに手間がかかる等の不具合が発生するおそれがあった。
【０００７】
そこで、上記の問題を解決するために、簡単な操作で収納できてしかも収納物が飛び出して落下することなく、また、外観がよくてフォーマルな衣類に用いることもできるポケットを考案して提供するものである。
【課題を解決するための手段】
【０００８】
本考案の請求項１に係るポケットは、上方又は側方向にポケット口を有する衣類のポケットであって、体側にある外側袋布と、該外側袋布に対応し、かつ、衣類の表布側にある内側袋布と、前記外側袋布に縫合された蓋布と、を少なくとも備えたポケットにおいて、前記蓋布が、略逆三角形状又は略四角形状をしており、下斜辺が直線又は曲線形状であってふらしにし、かつ、残りの上横辺と縦辺とが、前記外側袋布と縫合して袋状に形成したことを特徴とする。
【０００９】
請求項２に係るポケットは、上方又は側方向にポケット口を有する衣類のポケットであって、体側にある表布と、該表布の表面に設けられてポケットを形成するポケット布と、該ポケット布と前記表布との間に形成したポケット内で前記ポケット布と縫合された蓋布と、を少なくとも備えたポケットにおいて、前記蓋布が、略逆三角形状又は略四角形状をしており、下斜辺が直線又は曲線形状であってふらしにし、かつ、残りの上横辺と縦辺とが、前記外側袋布と縫合して袋状に形成したことを特徴とする。
【００１０】
請求項３に係るポケットは、請求項１において、前記蓋布の前記上横辺の長さが、前記外側袋布の幅より短く、かつ、前記蓋布の縦辺の長さが前記外側袋布の深さより短いことを特徴とする。また、請求項４に係るポケットは、請求項２において、前記蓋布の前記上横辺の長さが、前記ポケット布の前記ポケット幅より短く、かつ、前記蓋布の縦辺の長さが前記ポケット布の深さより短いことを特徴とする。
【００１１】
請求項５に係るポケットは、請求項１から４のいずれかにおいて、前記曲線形状が下に凸であることを特徴とする。
【００１２】
ポケットには、表布の表面（外側）にポケット布を縫合して形成されるパッチポケット（セットオンポケット）と、表布に切込みを入れてポケット口として、表布の体側（内側）に袋布を設け、該袋布を縫合して形成する切りポケット（セットインポケット）がある。本考案に係るポケットは、蓋布がポケット内のポケット口付近に設けられている。該蓋布は、上横辺、縦辺及び下斜辺の三辺からなる略逆三角形状、又は、上横辺、２つの縦辺及び下斜辺からなる略四角形状をしていて、上横辺及び縦辺は、セットインポケットでは袋布に、又は、セットオンポケットではポケット布に、縫合されており、下斜辺は、ふらし（縫合されていない）になって袋状のスペースを形成している。ポケットに収められたスマートフォン、携帯電話又は手帳等の収納物は、ポケット内の袋布又はポケット布と、蓋布との間に形成された袋状の部分に、蓋布の下斜辺部分を被せて収納する。よって、スマートフォン等の収納物は、ポケット内で、収納物の上部は、蓋布によって把持することができるので、収納物の落下を完全に防止できて、たとえ逆立ちをしたとしても落下しない。
【００１３】
また、本考案に係るポケットの蓋布は、スマートフォン等の収納物を被せる場合、ポケットの下側の幅が狭い略逆三角形状、又は、略四角形状をしているので、収納物に蓋布を簡単に被せられること又は外すことができる。蓋布の下斜辺の形状は直線状でもよいし曲線でもよい。下斜辺の形状は、下に凸の曲線形状の方が、収納物を被せやすく、また、外し易くて好適な形状である。なお、略四角形状の場合は、縦辺の一方が下に長く突き出た略台形状が好適である。
【００１４】
蓋布の上横辺の長さは、ポケット幅一杯に取るよりは、若干短くした方が、収納物の出し入れする操作が容易である。また、蓋布の縦辺の長さもポケット深さより短くした方が収納物の出し入れが容易である。上横辺の長さは、ポケット幅が１０ｃｍ位であれば、その５割から８割ぐらいが、又、縦辺の長さは、ポケットの深さの２割から５割ぐらいが、蓋布の嵌め外しが容易で好適である。また、手がすっぽりと入る大きさのポケット幅であれば、上横辺の長さは、ポケット幅の１０割あっても良い。
【００１５】
蓋布は、ポケット内にありポケット口から見えないので、通常の衣類と同じポケットの外観を呈するので、作業着やカジュアルな服装だけでなく、フォーマルな服装に用いることができる。
【００１６】
本考案に係るポケットは、上着やシャツだけでなく、ズボンやスカートなどを含めた衣類全般のポケットとして利用できる。
【考案の効果】
【００１７】
本考案に係るポケットによれば、例えば、前屈みやしゃがんだ姿勢をしても、スマートフォン等の収納物を蓋布によってポケット内に保持できるので、落とすことがない。従って、高価なスマートフォンが破損や故障したりしないので経済的損失を被らない。
【００１８】
また、従来の衣類に本考案のポケットを採用しても外観形状が変わらないので、作業着やシャツだけでなくスーツ、礼服、略礼服等のフォーマルな衣服にも用いることができる。
【図面の簡単な説明】
【００１９】
【図１】図１は、本考案を実施するための形態に係るポケットをセットインポケットに用いた場合の（ａ）模式的正面図、及び（ｂ）（ａ）のＡ−Ａ矢視断面図である。
【図２】図２は、本考案を実施するための形態に係るポケットをセットオンポケットに用いた場合の（ａ）模式的正面図、及び（ｂ）（ａ）のＡ−Ａ矢視断面図である。
【図３】図３は、本考案を実施するための形態に係るポケットをズボン（セットインポケット）に用いた場合の（ａ）模式的正面図及び（ｂ）（ａ）のＡ−Ａ矢視断面図である。
【図４】図４は、本考案を実施するための形態に係るポケットの使用状態を示す模式的斜視図である。
【考案を実施するための形態】
【００２０】
本考案に係るポケットの形態について図１、図２、図３、図４を用いて説明する。図１は、本考案を実施するための形態に係るポケットをセットインポケットに用いた場合の（ａ）模式的正面図及び（ｂ）（ａ）のＡ−Ａ矢視断面図である。図２は、本考案を実施するための形態に係るポケットをセットオンポケットに用いた場合の（ａ）模式的正面図及び（ｂ）（ａ）のＡ−Ａ矢視断面図である。図３は、本考案を実施するための形態に係るポケットをズボン（セットインポケット）に用いた場合の（ａ）模式的正面図及び（ｂ）（ａ）のＡ−Ａ矢視断面図である。図４は、本考案を実施するための形態に係るポケットの使用状態を示す模式的斜視図である。
【００２１】
ポケットには、図１に示すように、表布１０に切込みを入れてポケット口３として、表布１０の体側（内側）に袋布（通常は、内外２枚の袋布からなるが、１枚のものもある。）１２、１３を設け、該袋布１２、１３を縫合して形成する切りポケット（セットインポケット）と、図２に示すように、表布１０の表面（外側）にポケット布１１を縫合して形成されるパッチポケット（セットオンポケット）がある。本考案に係るポケット１は、セットインポケット及びセットオンポケットの両方に用いることができる。
【００２２】
本考案に係るポケット１は、図１に示すように、蓋布２と、外側袋布１２及び内側袋布１３と、又は、図２に示すように、蓋布２と、表布１０及びポケット布１１と、から構成され、蓋布２は、ポケット布１１又は外側袋布１２と縫合して固定されている。
【００２３】
蓋布２は、略逆三角形状をしており、上横辺２−１及び縦辺２−２が、通常、図１のポケットの場合には体側にある外側袋布１２と、また、図２のポケットの場合にはポケット布１１と縫合されて固定されている。蓋布２の残りの下斜辺（本図では、曲線形状の場合を示す）２−３は、ふらし（縫合されていない状態）になっており、該ふらし部分と、ポケット布１１又は外側袋布１２とのスペースにスマートフォン２０等の収納物の角を収めて、該スマートフォン２０を把持する。
【００２４】
図４に示すように、スマートフォン２０は、前記のように上側の片隅を、上横辺２−１と縦辺２−２がポケット布１１又は外側袋布１２と縫合されて固定された蓋布２と、該ポケット布１１又は該外側袋布１２と、によって袋状に形成された部分で把持されており、さらに、スマートフォン２０の両側面び下面は、図１のセットインポケットの場合には、外側袋布１２と内側袋布１３とで、図２のセットオンポケットの場合には、表布１０及びポケット布１１とで把持されている。よって、スマートフォン２０等の収納物が、ポケット１の底から蓋布２まで収納スペースとほぼ同じ大きさであれば、ほぼ外形の４面全部を把持してしっかり固定することになる。また、収納物の大きさが、蓋布２に引掛けられる位の大きさであれば、蓋布２が略逆三角形状をしていて、その三辺のうち、上横辺２−１及び縦辺２−２の二辺がしっかりとポケット布１１又は外側袋布１２に固定されているので、袋布２が緩んだりせず、スマートフォンが外れたりしない。従って、スマートフォン２０等の収納物はポケットから落下しない。
【００２５】
蓋布２の上横辺２−１の長さは、ポケット口３付近のポケット幅より多少短いほうが、遊びがあるので、スマートフォン２０等の収納物を収納して把持する場合に蓋布２を被せやすく外しやすい。なお、スマートフォン２０は、突然、電話が掛かってくることがしばしばあり、素早く蓋布２を外せてポケット１から出せる必要があるので、大変便利である。同様に、蓋布２の縦辺２−２の長さもポケット深さより短いほうが、スマートフォン２０等の収納物を収納して把持する場合に蓋布２を被せやすく外しやすい。上横辺２−１の長さは、ポケット幅が１０ｃｍ位であれば、その５割から８割ぐらいが、又、縦辺２−２の長さは、ポケットの深さの２割から５割ぐらいが、蓋布２の嵌め外しが容易で好適である。また、手がすっぽりと入る大きさのポケット幅であれば、上横辺２−１の長さは、ポケット幅の１０割あっても良い。また、ふらしになっている下斜辺２−３の形状は、直線でも良いし、曲線でも良い。嵌め外しのし易さや意図しない外れを防ぐためには、下に凸なった曲線形状が好適である。
【００２６】
図３は、ズボンやスカート等によく用いられているポケット口３が縦向き（斜め）になっているタイプのポケットである。本考案に係るポケット１を、ズボン等のこのタイプのポケットに採用する場合には、蓋布は２は、略四角形状にするのが良く、２つの縦辺２−２は、袋布１２、１３と縫合されているが、スマートフォン２０の落下を防止するために、長い方の縦辺２−２をポケット口３側に設けるのが好適である。また、蓋布２の上横辺２−１は、ポケット口３付近のどこにでも設けることが可能であるが、ポケット口３の上方に設けるのが、スマートフォン２０を収納して座った場合にスマートフォン２０がポケット１内でつかえないので、違和感を感じにくくなり好適である。また、蓋布２の上横辺２−１の長さは、手がすっぽりと入る大きさのポケット幅であれば、ポケット幅の１０割あっても良く、また、長い方の縦辺２−２はポケットの深さの４割から８割ぐらいが、短い方の縦辺２−２は２割から５割ぐらいが好適である。なお、上着のポケットやズボンの後ろポケット等の縦向き以外のポケットに、本考案にかかるポケット１を採用する場合には、通常、略三角形状をした蓋布２の縦辺２−２は左右どちら側でもよい。
【００２７】
また、本考案に係るポケット１のもうひとつの特徴は、外観の見栄えが良いことである。ポケット１が、図１のように、セットオンポケットの場合には、蓋布２を縫合する位置は、ポケット布１１のポケット口３での折返し内に上横辺２−１を縫合１５して設けるのが良い。このことによって、通常、収納物をポケットに入れていない状態であれば、蓋布２は、外側から見えず、また、蓋布２は布が１枚なので、ポケット１が大きく膨らんだりせず、従来のポケットと変わらず良い外観である。また、スマートフォン２０の出し入れの際に蓋布２を目立たせないために、表布１０やポケット布１１と同じ素材・柄（模様）の生地を用いるのが良い。同様にして、セットインポケットの場合にも、通常は、外から見えないが、表布１０と同じ素材・柄の生地を用いるのが良い。また、蓋布２は、上横辺２−１と縦辺２−２を縫合しており、略逆三角形状をしていることと相まって、スマートフォン２０等の収納物を出し入れしても、ポケット１内で丸まったりしてポケット１が膨らんだりしないので、外観の見栄えがよい。従って、例えば、スーツのチェンジポケットにも用いることができる。
【００２８】
本考案に係るポケット１の縫製方法を説明する。図１、２に示すように、ポケット１のポケット口３付近のポケット１内の位置に、ポケット布１１又は外側袋布１２に、略逆三角形状の蓋布２の上横辺２−１と縦辺２−２をしっかり縫合する。蓋布２を先に縫合しても良いし、セットインポケットの場合には、内側袋布１３と同時に縫合しても良い。なお、セットオンポケットの場合には、ポケット布１１のポケット口３の折返し内に上横辺２−１を挟み込むように縫合１５するのが良い。また、ズボン等の縦向きのポケット１の場合は、図３に示すように、略四角形状の蓋布２の上横辺２−１と短い方（ポケット口３と反対側）の縦辺２−２を外側袋布１２及び内側袋布１３に、またポケット口３側の縦辺２−２は外側袋布１２としっかり縫合する。
【００２９】
次に、本考案に係るポケット１の使用方法の一例を図４に基づいて説明する。まず、本考案に係るポケット１にスマートフォン２０を、通常のポケットに入れるように、ポケット口３から入れる。ポケット１の底までスマートフォン２０が達すれば、手で蓋布２の下斜辺２−３をスマートフォン２０に被せる。蓋布２を整えれば、収納完了である。逆に、スマートフォン２０をポケット１から出す場合には、まず、手で蓋布２の下斜辺２−３をスマートフォン２０から外す。次に、スマートフォン２０をポケット１から取り出せば、完了である。
【００３０】
このように本考案に係るポケット１を使用すれば、収納物が落下することを簡単な操作で防ぐことができる。また、素早く出し入れができるので、スマートフォン２０を収納しているときに電話が鳴っても、簡単な操作で、かつ、素早く対応できるので電話に出損なうことがない。
【００３１】
また、本考案のポケット１は、落下させない収納物の大きさに幅を持たせることができて自由に収納物を選ぶことができるので汎用性がある。また、ポケット１は、上着だけでなく、シャツ、ズボン及びスカート等あらゆる衣類のポケットに用いることができる。また、機能性だけでなく外観も非常に見栄えが良いので、作業着などの衣類だけでなくフォーマルな衣類にも使用することができる。
【産業上の利用可能性】
【００３２】
ポケットを有する衣類の分野で広く利用できる。
【符号の説明】
【００３３】
１：ポケット
２：蓋布  
２−１：上横辺        ２−２：縦辺        ２−３：下斜辺    
３：ポケット口
１０：表布
１１：ポケット布              
１２：外側袋布
１３：内側袋布
１４：縫い目
１５：ポケット口の縫い目
２０：スマートフォン
【図１】
0003177327.tif 000003
【図２】
0003177327.tif 000004
【図３】
0003177327.tif 000005
【図４】
0003177327.tif 000006